(57)【特許請求の範囲】
【請求項１】
互いに回動自在に支持された第１の筐体及び第２の筐体を備えた電子機器の少なくとも一部を覆う保護カバーであって、
前記第１の筐体及び前記第２の筐体を被覆可能な大きさを有する本体部と、
前記本体部の第１の部分を前記第１の筐体に固定可能な固定部材と、
前記本体部の第２の部分の縁部近傍に配置され、前記本体部の第２の部分を前記第２の筐体の側面に係止可能な支持部材とを備え、
前記支持部材は、断面形状が円形の金属線材で形成され、前記縁部と平行となるように配置された直線部を有し、連結部材を介して前記第２の筐体に係止されていて、
前記連結部材が前記直線部を摺動することで、前記本体部と前記第２の筐体との相対位置が変化可能な、保護カバー。
【請求項２】
前記連結部材は、前記支持部材と前記第２の筐体とに着脱可能である、請求項１に記載の保護カバー。
【請求項３】
前記本体部は、前記第１の部分と前記第２の部分との間に境界部を挟んで隣接する第３の部分を有し、前記第１の部分と前記第２の部分とは、前記支持部材が配置された前記縁部が形成する辺の長さが短い横長の矩形状である、請求項１または２に記載の保護カバー。
【発明の詳細な説明】
【技術分野】
【０００１】
本願は、電子機器を保持してこれを保護する、保護カバーに関する。
【背景技術】
【０００２】
ノートパソコンなどの携帯型電子機器は、可搬性を有することがメリットである反面、可搬時に誤って床等に落下させてしまう可能性がある。ノートパソコンを床等に落下させてしまうと、床等に衝突した際の衝撃によりノートパソコンが破損してしまう可能性がある。このようなノートパソコンの破損を軽減するために、ノートパソコンの外郭に着脱可能な保護カバーが市場に登場してきている。
【０００３】
特許文献１は、携帯型情報端末機器を覆い、衝撃等の外乱から携帯型情報端末機器を保護するキャリングケースを開示している。
【先行技術文献】
【特許文献】
【０００４】
【特許文献１】特開２０００−２５９５７４号公報
【発明の概要】
【発明が解決しようとする課題】
【０００５】
しかしながら特許文献１に開示されている構成では、携帯用情報端末機器の端部近傍においてのみケース本体を面ファスナーで装着する構成であるため、ケース本体を装着したまま携帯用情報端末機器を手で把持して使用すると、携帯用情報端末機器においてケース本体で覆われなくなる部分が多くなり、衝撃等の外乱に対する保護が不十分になってしまう。
【課題を解決するための手段】
【０００６】
本願に開示する保護カバーは、互いに回動自在に支持された第１の筐体及び第２の筐体を備えた電子機器の少なくとも一部を覆う保護カバーであって、前記第１の筐体及び前記第２の筐体を被覆可能な大きさを有する本体部と、前記本体部の第１の部分を前記第１の筐体に固定可能な固定部材と、前記本体部の第２の部分の縁部近傍に配置され、前記本体部の第２の部分を前記第２の筐体の側面に係止可能な支持部材とを備え、前記支持部材は、断面形状が円形の金属線材で形成され、前記縁部と平行となるように配置された直線部を有し、連結部材を介して前記第２の筐体に係止されていて、前記連結部材が前記直線部を摺動することで、前記本体部と前記第２の筐体との相対位置が変化可能である。
【発明の効果】
【０００７】
本願によれば、衝撃等の外乱から電子機器を保護することができる。
【図面の簡単な説明】
【０００８】
【図１】本実施の形態にかかる保護カバーが装着されたノートパソコンの斜視図
【図２】本実施の形態にかかる保護カバーが装着されたノートパソコンの斜視図
【図３】保護カバーの内面側の斜視図
【図４】保護カバーの外面側の斜視図
【図５Ａ】突起部材の平面図
【図５Ｂ】図５ＡにおけるＺ−Ｚ部の断面図
【図６】連結部材の斜視図
【図７Ａ】第１の筐体の下面の平面図
【図７Ｂ】位置決め穴の拡大平面図
【図８】ノートパソコン及び保護カバーの斜視図
【図９Ａ】ノートパソコン及び保護カバーの部分平面図
【図９Ｂ】位置決め穴及び突起部材の拡大平面図
【図１０Ａ】ノートパソコン及び保護カバーの部分平面図
【図１０Ｂ】位置決め穴及び突起部材の拡大平面図
【図１１】ノートパソコン及び保護カバーの部分平面図
【図１２Ａ】ノートパソコンの右側面の構成を示す側面図
【図１２Ｂ】ノートパソコンの左側面の構成を示す側面図
【図１３Ａ】第２の筐体に連結部材を装着する前の状態を示す模式図
【図１３Ｂ】第２の筐体に連結部材を装着した後の状態を示す模式図
【図１４Ａ】図１３ＢにおけるＺ−Ｚ部の断面図
【図１４Ｂ】第２の筐体に連結部材を係止した状態を示す断面図
【図１５】保護カバーの支持部材近傍の部分平面図
【図１６】図１５におけるＺ−Ｚ部の断面図
【図１７Ａ】閉じた状態におけるノートパソコンの側面図
【図１７Ｂ】約９０度開いた状態におけるノートパソコンの側面図
【図１７Ｃ】約１１０度開いた状態におけるノートパソコンの側面図
【図１８】図１７Ａにおける矢印Ｓに示す方向から見たノートパソコンの側面図
【発明を実施するための形態】
【０００９】
（実施の形態）
〔１．全体構成の概要〕
図１及び図２は、本実施の形態にかかる保護カバーが装着されたノートパソコンの斜視図である。図１は、ノートパソコンが開いた状態を示す。図２は、ノートパソコンが閉じた状態を示す。
【００１０】
図１に示すように、ノートパソコンは、第１の筐体１と第２の筐体２とを備えている。第１の筐体１は、各種電気素子が実装された回路基板やハードディスクドライブなどを内蔵している。第２の筐体２は、液晶ディスプレイ４を備えている。第１の筐体１と第２の筐体２とは、ヒンジ部３によって互いに回動自在に支持され、図１に示すように開いた状態と図２に示すように閉じた状態とを取り得る。ヒンジ部３は、第１の筐体１と第２の筐体２とを矢印ＡまたはＢに示す方向へ回動自在に支持する回動軸を備えている。第１の筐体１の上面１ａには、キーボード５とポインティングデバイス６とが配されている。
【００１１】
保護カバー１０は、ノートパソコンに着脱可能である。保護カバー１０は、第１の筐体１の下面１ｂと第２の筐体２の下面２ｂとを主に覆うようにノートパソコンに装着可能である。保護カバー１０は、第１の支持部材１２と第２の支持部材１３とを備えている。保護カバー１０の詳しい構成については後述する。
【００１２】
第１の連結部材２０は、第１の支持部材１２と第２の筐体２とに着脱可能である。第２の連結部材３０は、第２の支持部材１３と第２の筐体２とに着脱可能である。第１の連結部材２０を第１の支持部材１２と第２の筐体２とに結合し、第２の連結部材３０を第２の支持部材１３と第２の筐体２とに結合することにより、第２の筐体２と保護カバー１０とが結合する。第１の連結部材２０及び第２の連結部材３０の詳しい構成については後述する。
【００１３】
第１の筐体１は、突起部材と孔部との嵌合、及びネジによる螺結により、保護カバー１０に結合している。なお、第１の筐体１と保護カバー１０との結合構成については後述する。
【００１４】
〔２．保護カバー１０の構成〕
図３及び図４は、本実施の形態にかかる保護カバーの斜視図である。図３は、保護カバー１０の主に内面側を示す斜視図である。図４は、保護カバー１０の主に外面側を示す斜視図である。
【００１５】
図３及び図４に示すように、保護カバー１０は、本体部１１、第１の支持部材１２、第２の支持部材１３、第１の突起部材１４、第２の突起部材１５、孔部１６、グリップベルト１７、および隆起部１８ａ〜１８ｄを備えている。
【００１６】
本体部１１は、平面視形状が長方形状の薄板状に形成されている。本体部１１は、長方形状の布などの比較的軟質な素材と、長方形状の皮革や合成皮革などの比較的硬質な素材とで板状の硬質芯材を挟み、外周縁部において縫合することで形成されている。軟質素材は、本体部１１の主に内面１１ａ側に配される（図３参照）。本体部１１の内面１１ａは、保護カバー１０に装着されたノートパソコンが接する面であり、ノートパソコンの第１の筐体１や第２の筐体２に傷等が付着することを防止するため、本実施の形態のように軟質素材で形成することが好ましい。硬質素材は、本体部１１の主に外面１１ｅ側に配される（図４参照）。本体部１１に内包される硬質芯材は、例えばプラスチックを用いることができる。本体部１１の外面１１ｅは、保護カバー１０をノートパソコンに装着した際に外部に露出する面であるため、硬質素材で形成することにより外部から加わる衝撃等により簡単に破れにくくすることができる。なお、本体部１１の形状や素材は一例である。
【００１７】
図３に示すように、本体部１１は、第１の内面部１１ｂ、第２の内面部１１ｃ、および第３の内面部１１ｄで内面１１ａを形成している。第１の内面部１１ｂと第２の内面部１１ｃとは、内面１１ａの面方向に第１の境界部１１ｍを挟んで隣接している。第２の内面部１１ｃと第３の内面部１１ｄとは、外面１１ｅの面方向に第２の境界部１１ｎを挟んで隣接している。第１の内面部１１ｂは、第１の境界部１１ｍと本体部１１の外周縁部の一部とで囲まれた領域である。第２の内面部１１ｃは、第２の境界部１１ｎと本体部１１の外周縁部の一部とで囲まれた領域である。第３の内面部１１ｄは、第１の境界部１１ｍと第２の境界部１１ｎと本体部１１の外周縁部の一部とで囲まれた領域である。
【００１８】
図４に示すように、本体部１１は、第１の外面部１１ｆ、第２の外面部１１ｇ、および第３の外面部１１ｈで外面１１ｅを形成している。第１の外面部１１ｆと第２の外面部１１ｇとは、第１の境界部１１ｍを挟んで隣接している。第２の外面部１１ｇと第３の外面部１１ｈとは、第２の境界部１１ｎを挟んで隣接している。第１の外面部１１ｆは、第１の境界部１１ｍと本体部１１の外周縁部の一部とで囲まれた領域である。第２の外面部１１ｇは、第２の境界部１１ｎと本体部１１の外周縁部の一部とで囲まれた領域である。第３の外面部１１ｈは、第１の境界部１１ｍと第２の境界部１１ｎと本体部１１の外周縁部の一部とで囲まれた領域である。第１の外面部１１ｆは、第１の内面部１１ｂの裏側に配されている。第２の外面部１１ｇは、第２の内面部１１ｃの裏側に配されている。第３の外面部１１ｈは、第３の内面部１１ｄの裏側に配されている。
【００１９】
第１の支持部材１２は、本体部１１の縁部１１ｐの近傍に回動自在に固定されている。第２の支持部材１３は、本体部１１の縁部１１ｒの近傍に回動自在に固定されている。なお、第１の支持部材１２及び第２の支持部材１３が回動自在であることは必須ではない。第１の支持部材１２及び第２の支持部材１３は、樹脂や金属などで形成された環状の部材である。本実施の形態では、第１の支持部材１２及び第２の支持部材１３は、断面形状が円形の金属線材で、全体が四角形の環状形状となるように形成したが、この形状は一例である。第１の支持部材１２は、第１の連結部材２０を摺動可能に保持するために直線形状となっている直線部１２ａを有する。第２の支持部材１３は、第２の連結部材３０を摺動可能に保持するために直線形状となっている直線部１３ａを有する。第１の支持部材１２は、直線部１２ａの直線方向と縁部１１ｓとが平行となる姿勢で、保護カバー１０に固定されている。第２の支持部材１３は、直線部１３ａの直線方向と縁部１１ｔとが平行となる姿勢で、保護カバー１０に固定されている。
【００２０】
第１の突起部材１４及び第２の突起部材１５は、本体部１１の第１の内面部１１ｂに配されている。第１の突起部材１４は、第１の内面部１１ｂにおける縁部１１ｓと第１の境界部１１ｍとの近傍に配されている。第２の突起部材１５は、第１の内面部１１ｂにおける縁部１１ｔと第１の境界部１１ｍとの近傍に配されている。
【００２１】
図４に示す保護カバー１０の外面１１ｅは、本実施の形態では単一色（例えば黒色）に塗装された構成としたが、外面１１ｅの色や模様は任意である。保護カバー１０の製造者が様々な色や模様の保護カバー１０を製造し、ユーザーが色や模様が異なる複数の保護カバー１０を所有することで、ユーザーが好みの色や模様の保護カバー１０を選択的にノートパソコンに装着することができる。
【００２２】
図５Ａは、第１の突起部材１４の平面図である。図５Ｂは、第１の突起部材１４の近傍の断面図であり、図５ＡにおけるＺ−Ｚ部の断面を示す。なお、第２の突起部材１５は第１の突起部材１４と同様の形状を有するため、図示及び詳細説明は省略する。図５Ａ及び図５Ｂに示すように、第１の突起部材１４は、外径Ｒ１を有する先端部１４ａと、外径Ｒ１よりも小さい軸径Ｒ２を有する軸部１４ｂとを備えている。図５Ａに示すように、先端部１４ａは、平面視形状が円形である。図５Ｂに示すように、軸部１４ｂは、一方の端部に先端部１４ａが一体的に結合し、他方の端部は硬質芯材１１１ａに一体的に結合している。硬質芯材１１１ａは、保護カバー１０の内面１１ａ側に配されている内面素材１１１ｂと、保護カバー１０の外面１１ｅ側に配されている外面素材１１１ｃとに挟まれている。
【００２３】
孔部１６は、本体部１１において、第１の内面部１１ｂから第１の外面部１１ｆまで貫通している。孔部１６は、少なくともネジ（後述）の雄ネジ部を挿通可能な内径を有する。孔部１６は、第１の内面部１１ｂ及び第１の外面部１１ｆにおいて、縁部１１ｕの長手方向中央近傍に配されている。
【００２４】
グリップベルト１７は、本体部１１の第１の外面部１１ｆにおける第１の境界部１１ｍ近傍に配されている。グリップベルト１７は、本体部１１の第１の外面部１１ｆとの間に、少なくともユーザーの手を配置可能な空隙を有する。グリップベルト１７は、板状の部材である。グリップベルト１７は、本体部１１の第１の外面部１１ｆとの間にユーザーが手を配置した際に、ユーザーの手にフィットするように柔軟性を有する素材で形成されていることが好ましい。グリップベルト１７は、本体部１１の第１の外面部１１ｆとの間に様々な大きさの手を配置可能とするために、伸縮性を有する素材で形成されていることが好ましい。
【００２５】
なお、グリップベルト１７は、必須ではない。例えばユーザーの左手の手の平及び指の上に、保護カバー１０が装着されたノートパソコンを載置することであっても、ノートパソコンを左手で把持しながら操作することができる。また、グリップベルト１７は、第１の外面部１１ｆに限らず、第２の外面部１１ｇにおける第２の境界部１１ｎ近傍に配置してもよい。
【００２６】
隆起部１８ａ〜１８ｄは、本体部１１の第１の外面部１１ｆから隆起するように形成されている。本体部１１の第１の外面部１１ｆにおける四隅近傍に配されている。隆起部１８ａ〜１８ｄは、本体部１１の第１の外面部１１ｆが机上面に対向する姿勢で机上に載置した際に、保護カバー１０の姿勢を安定させるためのものである。隆起部１８ａ〜１８ｄは、机上等に載置した際に、机上面に同時に接するように、例えば第１の外面部１１ｆからの高さを全て同じとすることが好ましい。隆起部１８ａ及び１８ｂは、第１の外面部１１ｆからの高さを、少なくともグリップベルト１７の第１の外面部１１ｆからの高さ以上にすることが好ましい。
【００２７】
なお、隆起部１８ａ〜１８ｄは必須ではない。例えばグリップベルト１７が第１の境界部１１ｍの長手方向に沿って、縁部１１ｔ近傍から縁部１１ｓ近傍に到るまで配されている場合は、隆起部１８ａ〜１８ｄを備えていなくても、机上面に載置されたノートパソコンの姿勢が安定する場合がある。その場合は、隆起部１８ａ〜１８ｄを省略することができる。
【００２８】
〔３．連結部材の構成〕
図６は、第１の連結部材２０の斜視図である。なお、第１の連結部材２０と第２の連結部材３０とは同じ構成であるため、本実施の形態では第１の連結部材２０の構成についてのみ説明し、第２の連結部材３０の説明は省略する。
【００２９】
第１の連結部材２０は、主に基部２１、係合部２２、および摺動部２３から構成されている。基部２１、係合部２２、および摺動部２３は、例えば樹脂により一体的に形成されている。
【００３０】
基部２１は、表裏関係にある第１の側面２１ａ及び第２の側面２１ｂのうち、第１の側面２１ａに係合部２２が一体形成され、第２の側面２１ｂに摺動部２３が一体形成されている。
【００３１】
係合部２２は、先端部２２ａと軸部２２ｂとを備えている。先端部２２ａは、軸部２２ｂの軸方向の一方の端部に一体的に結合している。軸部２２ｂは、他方の端部が基部２１の第１の側面２１ａに一体的に結合している。先端部２２ａの幅寸法Ｗ１は、軸部２２ｂの幅寸法Ｗ２よりも大きい。
【００３２】
摺動部２３は、断面が略半円形状の柱状に形成されている。摺動部２３は、一方の端部２３ａが基部２１の第２の側面２１ｂに一体的に結合している。摺動部２３の他方の端部２３ｂと基部２１の第２の側面２１ｂとの間には、空隙２３ｄを有する。摺動部２３は、一方の端部２３ａと他方の端部２３ｂとの間に円弧部２３ｅを有する。円弧部２３ｅと基部２１の第２の側面２１ｂとの間には、空隙２３ｃを有する。空隙２３ｃは、少なくとも第１の支持部材１２または第２の支持部材１３を配置可能な内径を有する。
【００３３】
〔４．保護カバー１０とノートパソコンの着脱方法〕
以下、図３及び図４に示す保護カバー１０をノートパソコンに着脱する方法について説明する。本実施の形態の保護カバー１０は、第１の筐体１に固定可能な手段と、第２の筐体２に係止可能な手段とを備えている。第１の保護カバー１０をノートパソコンに装着する方法としては、まず第１の筐体１に保護カバー１０を固定し、次に第２の筐体２に保護カバー１０を係止する方法と、まず第２の筐体２に保護カバー１０を係止し、次に第１の筐体１に保護カバー１０を固定する方法とがある。本実施の形態では、まず第１の筐体１に保護カバー１０を固定し、次に第２の筐体２に保護カバー１０を係止する方法について説明する。
【００３４】
〔４−１．保護カバー１０を第１の筐体１に固定する方法〕
図７Ａは、第１の筐体１の下面１ｂの構成を示す平面図である。図７Ａに示すように、第１の筐体１の下面１ｂには、第１の位置決め穴５１、第２の位置決め穴５２、およびネジ穴５３が形成されている。第１の位置決め穴５１は、円形穴５１ａと長穴５１ｂとが結合した形状を有する。第２の位置決め穴５２は、円形穴５２ａと長穴５２ｂとが結合した形状を有する。ネジ穴５３は、内面にねじ山が形成された雌ネジ構造となっている。
【００３５】
図７Ｂは、第１の位置決め穴５１の拡大平面図である、なお、第１の位置決め穴５１と第２の位置決め穴５２とは同じ形状を有するため、第２の位置決め穴５２の拡大図は省略した。図７Ｂに示すように、円形穴５１ａは、少なくとも保護カバー１０に備わる第１の突起部材１４の先端部１４ａが挿通可能な内径Ｒ１１を有する。すなわち、第１の突起部材１４の先端部１４ａの外径Ｒ１（図５Ａ参照）と、第１の位置決め穴５１の円形穴５１ａの内径Ｒ１１とは、
Ｒ１＜Ｒ１１
の関係を有する。なお、円形穴５１ａに先端部１４ａを挿通させる際に円形穴５１ａと先端部１４ａとを容易に位置合わせできるように、円形穴５１ａの内径Ｒ１１は、先端部１４ａの外径Ｒ１よりも十分に大きい寸法とすることが好ましい。例えば、内径Ｒ１１は外径Ｒ１の２倍の寸法とすることができる。
【００３６】
長穴５１ｂは、少なくとも第１の突起部材１４の軸部１４ｂを挿通可能な幅寸法Ｒ１２を有する。すなわち、第１の突起部材１４の軸部１４ｂの外径Ｒ２（図５Ｂ参照）と、第１の位置決め穴５１の長穴５１ｂの幅寸法Ｒ１２とは、
Ｒ２≦Ｒ１２
の関係を有する。外径Ｒ２と幅寸法Ｒ１２とを「Ｒ２＜Ｒ１２」の関係とすることにより、第１の突起部材１４を第１の位置決め穴５１内をスライドさせる際に、軸部１４ｂを円形穴５１ａから長穴５１ｂへスライドさせやすくなる。また、外径Ｒ２と幅寸法Ｒ１２とを「Ｒ２＝Ｒ１２」の関係とすることにより、軸部１４ｂが長穴５１ｂに嵌合し、ノートパソコンと保護カバー１０との間に機械的ガタつきが生じにくくなるため好ましい。
【００３７】
第１の位置決め穴５１、第２の位置決め穴５２、およびネジ穴５３は、それぞれ保護カバー１０に備わる第１の突起部材１４、第２の突起部材１５、および孔部１６に対応する位置に形成されている。すなわち、第１の位置決め穴５１、第２の位置決め穴５２、およびネジ穴５３の配置及び間隔は、第１の突起部材１４、第２の突起部材１５、および孔部１６の配置及び間隔と同等である。
【００３８】
以下、保護カバー１０を第１の筐体１に固定する方法について説明する。
【００３９】
図８は、保護カバー１０を第１の筐体１に固定する直前の状態を示す斜視図である。図９Ａ、図１０Ａ、図１１は、保護カバー１０を第１の筐体１に装着する工程を示す平面図である。図９Ｂ、図１０Ｂは、第１の位置決め穴１４の拡大平面図である。図９Ａ〜図１１は、保護カバー１０の第１の外面１１ｆ側から見た平面図である。なお、図９Ａ、図１０Ａ、図１１において、グリップベルト１７及び隆起部１８ａ〜１８ｄは、第１の筐体１と保護カバー１０との位置関係を明確に図示するために、描画を省略した。また、図９Ａ、図１０Ａ、図１１に示す第１の突起部材１４及び第２の突起部材１５は、その位置を明確に図示するためにドットハッチングを付した。
【００４０】
まず、図８に示すように、保護カバー１０とノートパソコンとが離間した状態から、第１の筐体１の下面１ｂが保護カバー１０の第１の内面部１１ｂに対向し、ヒンジ部３が第１の境界部１１ｍの近傍に位置する姿勢で、ノートパソコンを保護カバー１０の第１の内面部１１ｂに載置する。なお、図８に示すノートパソコンは、閉じた状態で保護カバー１０の第１の内面部１１ｂに載置しようとしているが、例えば図１に示すように開いた状態で保護カバー１０の第１の内面部１１ｂに載置することもできる。
【００４１】
ノートパソコンを保護カバー１０の第１の内面部１１ｂに載置するとき、矢印Ｄに示すように第１の突起部材１４を第１の位置決め穴５１の円形穴５１ａに挿入し、矢印Ｅに示すように第２の突起部材１５を第２の位置決め穴５２の円形穴５２ａに挿入する。図９Ａ及び図９Ｂは、ノートパソコンを保護カバー１０の第１の内面部１１ｂに載置し、第１の突起部材１４が第１の位置決め穴５１の円形穴５１ａに挿入され、第２の突起部材１５が第２の位置決め穴５２の円形穴５２ａに挿入された状態を示す。なお、図９Ａに示す状態では、保護カバー１０の孔部１６と第１の筐体１のネジ穴５３とは、位置がずれている。
【００４２】
次に、ノートパソコンを、図９Ａに示す位置から、保護カバー１０の第１の内面部１１ｂに沿って矢印Ｇに示す方向へスライドさせる。ノートパソコンが矢印Ｇに示す方向へスライドする際、第１の位置決め穴５１と第１の突起部材１４との相対位置関係は、図９Ｂに示す位置関係から図１０Ｂに示す位置関係へ遷移する。すなわち、図９Ｂに示すように第１の突起部材１４の軸部１４ｂが第１の位置決め穴５１の円形穴５１ａ内に位置している状態から、図１０Ｂに示すように長穴５１ｂの端部５１ｃに当接する状態となるように、第１の位置決め穴５１が変位する。同様に、第２の突起部材１５の軸部１５ｂが第２の位置決め穴５２の円形穴５２ａ内に位置している状態から、長穴５２ｂの端部に当接する状態となるように、第２の位置決め穴５２が変位する。
【００４３】
ここで、第１の突起部材１４の先端部１４ａの幅寸法Ｒ１と、長穴５１ｂの幅寸法Ｒ１２とは、
Ｒ１２＜Ｒ１
の関係を有する。したがって、第１の突起部材１４と第１の位置決め穴５１との位置関係が図１０Ｂに示す位置関係、すなわち第１の突起部材１４の先端部１４ａと長穴５１ｂとが重なる位置関係になり、同様に第２の突起部材１５と第２の位置決め穴５２との位置関係が図１０Ａに示す位置関係になると、第１の筐体１は、第１の突起部材１４の軸部１４ｂの軸方向への変位が規制された状態となる。
【００４４】
ノートパソコンが保護カバー１０の第１の内面部１１ｂにおいて図１０Ａに示す位置までスライドすると、第１の突起部材１４が長穴５１ｂの端部５１ｃ（円形穴５１ａから最も遠い端部）に当接し、第２の突起部材１５が長穴５２ｂの端部（円形穴５２ａから最も遠い端部）に当接する。これにより、ノートパソコンは、矢印Ｇに示す方向へのスライドが規制される。
【００４５】
また、長穴５１ｂにおける互いに平行対向する側部５１ｄ及び５１ｅと軸部１４ｂとが当接または僅かな隙間を挟んで近接していることにより、軸部１４ｂは図１０Ｂに示すＨ軸方向の位置が規制される。これにより、ノートパソコンは、保護カバー１０に対してＨ軸方向の位置が規制され、保護カバー１０に対する機械的ガタつきを極力小さくした状態で保護カバー１０に固定することができる。
【００４６】
また、図１０Ａに示す状態では、孔部１６とネジ穴５３とは、その中心が一致するように重なっている。
【００４７】
次に、図１１に示すように、ネジ５４を、保護カバー１０の第１の外面部１１ｆ側から孔部１６に挿入して、ネジ穴５３に螺合させる。ネジ５４の先端部の外径は、保護カバー１０に形成された孔部１６の内径よりも大きいため、ネジ５４をネジ穴５３に螺合させることによりネジ５４の先端部と第１の筐体１とで保護カバー１０を挟むことができる。したがって、保護カバー１０を第１の筐体１に固定することができる。
【００４８】
以上により、ノートパソコンを保護カバー１０の第１の内面部１１ｂに固定することができる。
【００４９】
保護カバー１０をノートパソコンから離脱する場合は、まず、図１１においてネジ５４をネジ穴５３（図１０Ａ参照）及び孔部１６から離脱し、図１０Ａに示す状態にする。図１０Ａに示す状態では、第１の突起部材１４は第１の位置決め穴５１に係合し、第２の突起部材１５は第２の位置決め穴５２に係合している。
【００５０】
次に、ノートパソコンを図１０Ａに示す位置から矢印Ｒに示す方向へスライドさせ、図９Ａに示す位置まで変位させる。具体的には、図９Ｂに示すように、第１の突起部材１４の先端部１４ａと第１の位置決め穴５１の円形穴１４ａとが重なる位置まで、ノートパソコンをスライドさせる（図示は省略するが、第２の突起部材１５と第２の位置決め穴５２も同様）。
【００５１】
次に、第１の突起部材１４を第１の位置決め穴５１から抜き、第２の突起部材１５を第２の位置決め穴５２から抜くことで、ノートパソコンを保護カバー１０から離脱することができる。
【００５２】
〔４−２．保護カバー１０を第２の筐体２に係止する方法〕
図１２Ａは、ノートパソコンの右側面図である。図１２Ｂは、ノートパソコンの左側面図である。図１２Ａに示すように、第２の筐体２の右側面２ｃには、第１の係合孔２ｅが形成されている。第１の係合孔２ｅは、右側面２ｃにおける前面２ｇに近い位置に配置することが好ましい。図１２Ｂに示すように、第２の筐体２の左側面２ｄには、第２の係合孔２ｆが形成されている。第２の係合孔２ｆは、左側面２ｄにおける前面２ｇに近い位置に配置することが好ましい。第１の係合孔２ｅ及び第２の係合孔２ｆは、少なくとも第１の連結部材２０（第２の連結部材３０も同様の形状）の係合部２２を挿通可能な開口面積を有する。本実施の形態では、第１の係合孔２ｅ及び第２の係合孔２ｆは、正方形としたが、少なくとも第１の連結部材２０の係合部２２を挿通可能で、先端部２２ａを係合可能な形状であればよい。
【００５３】
なお、第２の筐体２において、上面２ａは、ノートパソコンを図２に示すように閉じたときに、第１の筐体１の上面１ａに近接対向する面である。下面２ｂは、上面２ａの裏側の面である。右側面２ｃは、ノートパソコンを図１に示すように開いた状態にし、液晶ディスプレイ４に対向する位置にユーザーが対峙したときに、ユーザーから見て右側の側面である。左側面２ｄは、右側面２ｃの裏側の面である。前面２ｇは、上面２ａ、右側面２ｃ、左側面２ｄに隣接する面である。
【００５４】
以下、保護カバー１０を第２の筐体２に係止する方法について説明する。
【００５５】
図１３Ａは、第２の筐体２に第１の連結部材２０を装着する前の状態を示す断面図である。図１３Ｂは、第２の筐体２に第１の連結部材２０を装着した後の状態を示す断面図である。図１３Ａ及び図１３Ｂは、図１のＺ−Ｚ部における右側面２ｃの近傍の断面を示す。図１４Ａ及び図１４Ｂは、図１３ＢにおけるＺ−Ｚ部の断面図である。図１４Ａは、第１の連結部材２０が図１３Ｂに示す状態にあるときの図である。図１５は、第２の筐体２及び第１の支持部材１２に第１の連結部材２０が装着された状態を示す部分平面図である。図１５は、第２の筐体２と第１の連結部材２０との結合部を明確にするために一部を断面描画した。図１６は、図１５におけるＺ−Ｚ部の断面図である。
【００５６】
保護カバー１０を第２の筐体２に係止する場合、まず、第１の連結部材２０を第１の係合孔２ｅに係合させ、第２の連結部材３０を第２の係合孔２ｆに係合させる。具体的には、図１３Ａに示すように第１の連結部材２０の係合部２２を第１の係合孔２ｅに挿入する。このとき、第１の係合孔２ｅの開口幅Ｗ１１と、係合部２２の先端部２２ａの幅寸法Ｗ１（図６参照）とは、
Ｗ１１＜Ｗ１
の関係にあるため、第１の連結部材２０を右側面２ｃに対して傾けて先端部２２ａの端部から第１の係合孔２ａに挿入する（矢印Ｋ参照）。
【００５７】
図１３Ｂに示すように、先端部２２ａが第２の筐体２内に収まるまで係合部２２を第１の係合孔２ｅに挿入すると、軸部２２ｂが第１の係合孔２ｅを貫通する位置に配置される。このとき、軸部２２ｂの幅寸法Ｗ２（図６参照）と第１の係合孔の開口幅Ｗ１１とは、
Ｗ２＜Ｗ１１
の関係にあるため、軸部２２ｂと第１の係合孔２ｅとの間には僅かな隙間がある。また、第１の係合孔２ｅの開口幅Ｗ１１と、係合部２２の先端部２２ａの幅寸法Ｗ１（図６参照）とは上記関係式のような関係にあるため、先端部２２ａは第１の係合孔２ｅから容易に離脱しない。
【００５８】
次に、第１の連結部材２０を回転させる。図１３Ｂ及び図１４Ａに示すように、第１の係合孔２ｅに係合後の第１の連結部材２０は、摺動部２３の円筒軸Ｌが第２の筐体２の上面２ａに対して交差する姿勢となっている。この状態から第１の連結部材２０を、軸部２２ｂの軸周りに矢印Ｍ（図１４Ａ参照）に示す方向へ約９０度回転させ、図１４Ｂに示すように摺動部２３の円筒軸Ｌと第２の筐体２の上面２ａとが略平行となる姿勢にする。
【００５９】
次に、第１の連結部材２０の摺動部２３に、第１の支持部材１２を嵌合させる。具体的には、図１６において、摺動部２３の他方の端部２３ｂを把持して矢印Ｎに示す方向へ変位させ、円弧部２３ｅを弾性変形させる。他方の端部２３ｂを矢印Ｎに示す方向へ変位させることにより、空隙２３ｄの幅寸法Ｗ２１が広がる。摺動部２３を、空隙２３ｄの幅寸法Ｗ２１が第１の支持部材１２の外径Ｒ３１よりも大きくなるまで弾性変形させ、第１の支持部材１２を空隙２３ｄを介して空隙２３ｃ内へ移動させる。第１の支持部材１２が空隙２３ｃ内へ移動した後、他方の端部２３ｂの把持を中止することで、摺動部２３は弾性復帰力により変形前の形状に復帰する。これにより、摺動部２３は、図１６に示すように、第１の支持部材１２に嵌合した状態となる。
【００６０】
図１５及び図１６に示すように、第１の支持部材１２に第１の連結部材２０が嵌合した状態では、第１の連結部材２０は、第１の支持部材１２に沿って矢印ＲまたはＱに示す方向へ摺動することができる。
【００６１】
なお、図１６に示すように、第１の支持部材１２は、その一部に布材１９が巻かれ、布材１９が保護カバー１０の本体部１１に縫着されていることにより、本体部１１に固定されている。
【００６２】
上記と同様の手順で、第２の連結部材３０を、第２の係合孔に係合させ、第２の支持部材１３に嵌合させる。これにより、保護カバー１０と第２の筐体２との係止が完了する。
【００６３】
〔５．ノートパソコン及び保護カバー１０の開閉動作〕
以下、保護カバー１０が装着されたノートパソコンを開閉する際の動作について説明する。図１７Ａは、ノートパソコンが閉じた状態を示す側面図であり、図２に示す状態のノートパソコンの側面図である。図１７Ｂは、ノートパソコンが図１７Ａに示す状態から約９０度開いた状態を示す側面図であり、図１に示す状態のノートパソコンの側面図である。図１７Ｃは、ノートパソコンが図１７Ａに示す状態から約１１０度開いた状態を示す側面図である。なお、図１７Ａ〜図１７Ｃは、ノートパソコンを開閉したときにおける第２の連結部材３０の動きについて図示しているが、第１の連結部材２０も第２の連結部材３０と同様に動作する。
【００６４】
まず、図１７Ａに示す状態では、第２の連結部材３０は、第２の支持部材１３の直線部１３ａの一方端部近傍に位置している。また、図示は省略するが、第１の連結部材２０は、第１の支持部材１２の直線部１２ａ（図４参照）の一方端部近傍に位置している。「直線部の一方端部」とは、直線部１２ａ及び１３ａにおいて、その直線方向における縁部１１ｖに近い側の端部である。また、「直線部の他方端部」とは、直線部１２ａ及び１３ａにおいて、その直線方向における縁部１１ｕに近い側の端部である。
【００６５】
また、図１７Ａに示す状態では、第１の筐体１の前面１ｃと第２の筐体２の前面２ｃとはほぼ面一となっている。また、保護カバー１０の縁部１１ｕと縁部１１ｖとはほぼ面一となっている。保護カバー１０の縁部１１ｕ及び１１ｖは、第１の筐体１の前面１ｃ及び第２の筐体２の前面２ｃに対して、寸法Ｄ１分突出している。
【００６６】
次に、第２の筐体２を、図１７Ａに示す状態から矢印Ｂに示す方向へ回動させる。第２の筐体２を回動させると、第１の筐体１と保護カバー１０とはネジ５４で固定されているため相対位置は変動しないが、第２の筐体２と保護カバー１０とは相対位置が変動する。
【００６７】
第２の筐体２と保護カバー１０とは、第１の連結部材２０及び第２の連結部材３０で連結されているとともに、第１の支持部材１２は第１の連結部材２０に摺動可能に係合し、第２の支持部材１３は第２の連結部材３０に摺動可能に係合している。したがって、第２の筐体２を図１７Ａに示す状態から矢印Ｂに示す方向へ回動させると、第２の支持部材１３は、第２の連結部材３０に対する相対位置が矢印Ｒに示す方向へ変動する。図示は省略するが、第１の支持部材１２も、第１の連結部材２０に対する相対位置が矢印Ｒに示す方向と同じ方向へ変動する。その結果、図１７Ｂに示すように、第２の連結部材３０は、第２の支持部材１３の直線部１３ａにおける位置が、図１７Ａに示す位置よりも他方端部側へ変位する。
【００６８】
なお、図１７Ｂに示す状態における第２の筐体２の前面２ｃに対する保護カバー１０の縁部１１ｖの突出量Ｄ２は、図１７Ａに示す突出量Ｄ１よりも大きくなっている。
【００６９】
また、図１７Ｂに示す状態における第２の筐体２と保護カバー１０の第２の内面部１１ｃとの間隙は、図１７Ａに示す状態における第２の筐体２と保護カバー１０の第２の内面部１１ｃとの間隙と、ほぼ同等である。これは、保護カバー１０が第２の筐体２に対してスライド可能であるためである。
【００７０】
次に、図１７Ｂに示す状態から第２の筐体２をさらに矢印Ｂに示す方向へ回動させると、第２の支持部材１３は、第２の連結部材３０に対する相対位置が矢印Ｒに示す方向へさらに変動する。図示は省略するが、第１の支持部材１２も、第１の連結部材２０に対する相対位置が矢印Ｒに示す方向と同じ方向へ変動する。例えば、第２の筐体２を、図１７Ｃに示すように第１の筐体１に対する回動角度が約１１０度となる位置まで回動させると、第２の連結部材３０は、第２の支持部材１３の直線部１３ａにおける位置が、図１７Ｂに示す位置よりもさらに他方端部側へ変位する。
【００７１】
なお、図１７Ｃに示す状態における第２の筐体２の前面２ｃに対する保護カバー１０の縁部１１ｖの突出量Ｄ３は、図１７Ｂに示す突出量Ｄ２よりも大きくなっている。
【００７２】
また、図１７Ｃに示す状態における第２の筐体２と保護カバー１０の第２の内面部１１ｃとの間隙は、図１７Ａ及び図１７Ｂに示す状態における第２の筐体２と保護カバー１０の第２の内面部１１ｃとの間隙と、ほぼ同等である。これは、保護カバー１０が第２の筐体２に対してスライド可能であるためである。
【００７３】
図１７Ｃに示す状態から第２の筐体２を矢印Ａに示す方向へ回動させると、図１７Ｂに示す状態を経て図１７Ａに示す状態へ移行させることができる。第２の筐体２を矢印Ａに示す方向へ回動させる際、第２の筐体２と保護カバー１０との相対位置（第２の内面部１１ｃの面方向の位置）が変動するが、第２の支持部材１３が第２の連結部材３０に対して摺動可能に支持されているため、第２の筐体２と保護カバー１０の第２の内面部１１ｃとの間隙は大きく変動しない。
【００７４】
〔６．実施の形態の効果、他〕
本実施の形態によれば、保護カバー１０をノートパソコンの外郭に装着可能としたことにより、第１の筐体１及び第２の筐体２に衝撃や当接等の外乱が加わった際に傷等が付くことを防止することができる。また、誤ってノートパソコンを床等に落下させてしまったとしても、保護カバー１０が落下時に生じる衝撃エネルギーを吸収するため、第１の筐体１、第２の筐体２、およびそれらに内蔵された部品等が破損することを防止することができる。
【００７５】
本実施の形態の第１の筐体１は、第１の位置決め穴５１と第２の位置決め穴５２を備えている。また、本実施の形態の保護カバー１０は、第１の突起部材１４と第２の突起部材１５を備えている。また、第１の位置決め穴５１及び第２の位置決め穴５２は、それぞれ円形穴５１ａ及び５２ａと長穴５１ｂ及び５２ｂとを備えている。このような構成において、円形穴５１ａ及び５２ａにそれぞれ第１の突起部材１４及び第２の突起部材１５を挿入し、第１の突起部材１４の軸部１４ｂ及び第２の突起部材１５の軸部１５ｂがそれぞれ長穴５１ｂ及び５２ｂ内へ移動するように第１の筐体１（ノートパソコン）をスライドさせることにより、第１の筐体１を保護カバー１０に係止させることができる。すなわち、第１の筐体１をスライドさせるという簡単な操作で、第１の筐体１を保護カバー１０に係止できる。
【００７６】
本実施の形態によれば、第１の筐体１と保護カバー１０とをネジ５４で螺結する構成としたことにより、第１の筐体１を保護カバー１０に確実に固定することができる。したがって、保護カバー１０が装着されたノートパソコンに衝撃等の外乱が加わったとしても、保護カバー１０が第１の筐体１に対して位置がずれないため、ノートパソコンを確実に保護することができる。また、第１の筐体１と保護カバー１０とをネジ５４で螺結する構成としたことにより、保護カバー１０にグリップベルト１７を備え、グリップベルト１７にユーザーが手を通してノートパソコンを把持して操作する際に、ノートパソコンの姿勢を安定させることができる。
【００７７】
本実施の形態の第２の筐体２は、第１の係合穴２ｅと第２の係合穴２ｆを備えている。また、本実施の形態の保護カバー１０は、第１の支持部材１２と第２の支持部材１３とを備えている。また、本実施の形態の第１の連結部材２０は、第１の係合穴２ｅに係合可能で、第１の支持部材１２に摺動自在に保持可能である。また、本実施の形態の第２の連結部材３０は、第２の係合穴２ｆに係合可能で、第２の支持部材１３に摺動自在に保持可能である。このような構成としたことにより、第２の筐体２を矢印ＡまたはＢに示す方向へ回動させる際に、第２の筐体２と保護カバー１０との相対位置を変動させることができるので、ヒンジ部３近傍において保護カバー１０が大きく弛むことを防止することができる。仮に、保護カバー１０が第１の筐体１と第２の筐体２とに固定されている場合は、第２の筐体２を回動させてノートパソコンを図１７Ｂに示す状態にしたときに、保護カバー１０におけるヒンジ部３に対向する部分が大きく弛む可能性が高い。このようにヒンジ部３の近傍に大きな弛みが生じると、保護カバー１０が装着されたノートパソコンを机上面等に載置した際にノートパソコンの姿勢が不安定となってしまう。本実施の形態では、図１７Ｂ及び図１７Ｃに示すように、保護カバー１０におけるヒンジ部３に対向する部分が大きく弛まないため、保護カバー１０が装着されたノートパソコンを机上面等に載置した際にノートパソコンの姿勢が安定する。また、保護カバー１０におけるヒンジ部３に対向する部分に大きな弛みがないため、ユーザーがグリップベルト１７に手を通して保護カバー１０の第３の外面部１１ｈ近傍を把持する際に、ノートパソコンを安定した姿勢で把持することができる。
【００７８】
本実施の形態によれば、保護カバー１０に第３の内面部１１ｄ及び第３の外面部１１ｈを備えたことにより、ノートパソコンのヒンジ部３及びその近傍を保護することができる。ノートパソコンのヒンジ部３及びその近傍は、ヒンジ機構をはじめとする機械部品や、液晶ディスプレイ４と第１の筐体１に内蔵された電気回路基板との間で信号の伝送を行うための信号線などが配されており、機械的及び電気的に脆弱な部分である。本実施の形態では、保護カバー１０でヒンジ部３及びその近傍を衝撃等から保護することにより、機械部品の破損や信号線の断線を防止することができる。
【００７９】
本実施の形態によれば、図１７Ａ及び図１８に示すように、ノートパソコンを閉じている状態において、保護カバー１０の縁部１１ｓが第１の筐体１の左側面１ｅ及び第２の筐体２の左側面２ｄよりも突出し、保護カバー１０の縁部１１ｔが第１の筐体１の右側面１ｄ及び第２の筐体２の右側面２ｃよりも突出し、保護カバー１０の縁部１１ｕ及び１１ｖが第１の筐体１の前面１ｃ及び第２の筐体２の前面１ｇよりも突出する形状としたことにより、ノートパソコンを床等に落下させてしまった際に、ノートパソコンよりも保護カバー１０が先に床等に当たるため、ノートパソコンを保護することができる。なお、図１８は、図１７Ａにおける矢印Ｓに示す方向から見たノートパソコンの側面図である。
【００８０】
本実施の形態によれば、保護カバー１０の外面部１１ｇにグリップベルト１７を備えたことにより、グリップベルト１７にユーザーが手を通すことで、保護カバー１０が装着されたノートパソコンを片手で保持することができる。また、ノートパソコンに保護カバー１０を装着した状態で、保護カバー１０の第２の外面部１１ｇが鉛直下向きになる姿勢でノートパソコンを床等に落下させてしまった場合に、グリップベルト１７が保護カバー１０よりも先に床等に衝突する場合がある。これにより、保護カバー１０及びノートパソコンに伝わる衝撃を緩和することができる。なお、グリップベルト１７を備えることは必須ではない。
【００８１】
本実施の形態によれば、保護カバー１０の外面部１１ｇに隆起部１８ａ〜１８ｄを備えたことにより、保護カバー１０が装着されたノートパソコンを机上面等に載置して使用する場合に、ノートパソコンの姿勢を安定させることができる。また、ノートパソコンに保護カバー１０を装着した状態で、保護カバー１０の第２の外面部１１ｇが鉛直下向きになる姿勢でノートパソコンを床等に落下させてしまった場合に、隆起部１８ａ〜１８ｄが保護カバー１０よりも先に床等に衝突する場合がある。これにより、保護カバー１０及びノートパソコンに伝わる衝撃を緩和することができる。なお、隆起部１８ａ〜１８ｄを備えることは必須ではない。
【００８２】
なお、本実施の形態では、第１の筐体１を保護カバー１０に固定する際、第１の位置決め穴５１及び第２の位置決め穴５２と第１の突起部材１４及び第２の突起部材１５を係合させるためにノートパソコンを図９Ａに示す位置から矢印Ｇに示す方向へスライドさせる構成としたが、ノートパソコンのスライド方向は、保護カバー１０の第１の内面部１１ｂの面方向であれば他のスライド方向であってもよい。
【００８３】
また、図９Ａに示す第１の突起部材１４、第２の突起部材１５、第１の位置決め穴５１、および第２の位置決め穴５２の位置は、一例である。第１の突起部材１４、第２の突起部材１５、および孔部１６は、保護カバー１０の第１の内面部１１ｂの縁部１１ｓ，１１ｔ，および１１ｕの近傍に配置することが好ましい。また、第１の位置決め穴５１、第２の位置決め穴５２、およびネジ穴５３は、第１の筐体１の下面１ｂにおける前面１ｃ、右側面１ｄ、および左側面１ｅの近傍に配置することが好ましい。上記好ましい配置とすることにより、保護カバー１０の縁部が自重等により第１の筐体１から大きく離間することがなく、ノートパソコンを確実に外乱から保護することができる。
【００８４】
また、本実施の形態では、第１の位置決め穴５１及び第２の位置決め穴５２において、第１の突起部材１４の先端部１４ａ及び第２の突起部材１５の先端部１５ａを挿入するための穴の形状を円形（図７Ａに示す円形穴５１ａ及び５２ａ）としたが、形状は円形に限らず他の形状であってもよく、少なくとも第１の突起部材１４の先端部１４ａ及び第２の突起部材１５の先端部１５ａを挿入可能な形状であればよい。
【００８５】
また、本実施の形態では、第１の突起部材１４の先端部１４ａ及び第２の突起部材１５の先端部１５ａの平面視形状（図５Ａ参照）を円形としたが、形状は円形に限らず他の形状であってもよい。先端部１４ａ及び１５ａの平面視形状は、少なくとも第１の位置決め穴５１ａの円形穴５１ａ及び第２の位置決め穴５２の円形穴５２ａに挿入可能で、第１の位置決め穴５１の長穴５１ｂ及び第２の位置決め穴５２の長穴５２ｂから離脱しない形状であればよい。本実施の形態では、上記条件を満たすために、第１の突起部材１４の先端部１４ａの外径Ｒ１（図５Ａ参照）、第１の位置決め穴５１の円形穴５１ａの内径Ｒ１１（図７Ｂ参照）、第１の位置決め穴５１の長穴５１ｂの幅寸法Ｒ１２（図７Ｂ参照）を、
Ｒ１２＜Ｒ１＜Ｒ１１
の関係を有する寸法とした。
【００８６】
また、第１の位置決め穴５１における円形穴５１ａ、および第２の位置決め穴５２における円形穴５２ａの内径Ｒ１１（図７Ｂ参照）は、第１の突起部材１４の先端部１４ａ及び第２の突起部材１５の先端部１５ａの外径Ｒ１（図５Ａ及び図５Ｂ参照）よりも十分に大きいことが好ましい。このような構成とすることにより、第１の筐体１を保護カバー１０に固定する際に、容易に第１の突起部材１４を第１の位置決め穴５１に挿入し、第２の突起部材１５を第２の位置決め穴５２に挿入することができる。つまり、第１の突起部材１４を第１の位置決め穴５１に挿入し、第２の突起部材１５を第２の位置決め穴５２に挿入する際、第１の筐体１及び保護カバー１０によって、第１の突起部材１４、第１の位置決め穴５１、第２の突起部材１５、および第２の位置決め穴５２が隠れてしまい、各突起部材及び各位置決め穴を目視しながら各突起部材を各位置決め穴に挿入することが困難である。したがって、円形穴５１ａ及び５２ａの内径Ｒ１１を先端部１４ａ及び１５ａの外径Ｒ１よりも十分に大きくすることにより、各突起部材及び各位置決め穴を目視しなくても、容易に各突起部材を各位置決め穴に挿入することができる。
【００８７】
また、本実施の形態では、第１の筐体１と第２の筐体２とを備えた電子機器としたが、単一筐体からなる電子機器であってもよい。その場合は、保護カバーには第１の突起部材１４、第２の突起部材１５、および孔部１６を備え、単一筐体には第１の位置決め孔５１，第２の位置決め孔５２、およびネジ孔５３を備えることにより、実現することができる。
【００８８】
また、本実施の形態では、ノートパソコンが閉じた状態、第１の筐体１を第２の筐体２に対して約９０度の角度まで開いた状態、第１の筐体１を第２の筐体２に対して約１１０度の角度まで開いた状態について図示及び説明を行ったが，保護カバーを装着したまま１１０度以上にも開くことができる。本実施の形態の保護カバーは、ノートパソコンに装着したまま、第１の筐体１を第２の筐体２に対して約１８０度の角度まで開くことができる。
【００８９】
また、本実施の形態では、保護カバー１０を着脱可能な機器としてノートパソコンを挙げたが、少なくとも開閉可能な複数の筐体を備えた機器であればよい。例えば、携帯型ゲーム機、携帯電話器、携帯型医療機器等にも適用できる。
【００９０】
また、本実施の形態における第１の筐体１は、筐体または第１の筐体の一例である。本実施の形態における第２の筐体２は、第２の筐体の一例である。本実施の形態における保護カバー１０は、保護カバーの一例である。本実施の形態における本体部１１は、本体部の一例である。本実施の形態における第１の突起部材１４，第２の突起部材１５、およびネジ５４は、固定部材の一例である。本実施の形態における第１の連結部材２０、第２の連結部材３０は、係止部材の一例である。本実施の形態における第１の位置決め孔５１，第２の位置決め孔５２は、孔部の一例である。本実施の形態における第１の突起部材１４、第２の突起部材１５は、突起部の一例である。本実施の形態における円形孔５１ａ及び５２ａは、第１の孔部の一例である。本実施の形態における長孔５１ｂ及び５２ｂは、第２の孔部の一例である。本実施の形態における先端部１４ａ及び１５ａは、先端部の一例である。本実施の形態における軸部１４ｂ及び１５ｂは、軸部の一例である。
【産業上の利用可能性】
【００９１】
本願は、保護カバー、およびそれを着脱可能な電子機器に有用である。
【符号の説明】
【００９２】
１  第１の筐体
１ａ  上面
１ｂ  下面
１ｃ  前面
１ｄ  右側面
１ｅ  左側面
２  第２の筐体
２ａ  上面
２ｂ  下面
２ｃ  右側面
２ｄ  左側面
２ｅ  第１の係合孔
２ｆ  第２の係合孔
２ｇ  前面
３  ヒンジ部
４  液晶ディスプレイ
５  キーボード
６  ポインティングデバイス
１０  保護カバー
１１  本体部
１１ａ  内面
１１ｂ  第１の内面部
１１ｃ  第２の内面部
１１ｄ  第３の内面部
１１ｅ  外面
１１ｆ  第１の外面部
１１ｇ  第２の外面部
１１ｈ  第３の外面部
１１ｍ  第１の境界部
１１ｎ  第２の境界部
１１ｐ、１１ｒ、１１ｓ、１１ｔ、１１ｕ、１１ｖ  縁部
１２  第１の支持部材
１２ａ  直線部
１３  第２の支持部材
１３ａ  直線部
１４  第１の突起部材
１５  第２の突起部材
１６  孔部
１７  グリップベルト
１８ａ，１８ｂ，１８ｃ，１８ｄ  隆起部
２０  第１の連結部材
２１  基部
２１ａ  第１の側面
２１ｂ  第２の側面
２２  係合部
２２ａ  先端部
２２ｂ  軸部
２３  摺動部
２３ａ  一方の端部
２３ｂ  他方の端部
２３ｃ  空隙
２３ｄ  空隙
２３ｅ  円弧部
３０  第２の連結部材
５１  第１の位置決め穴
５１ａ  円形穴
５１ｂ  長穴
５２  第２の位置決め穴
５２ａ  円形穴
５２ｂ  長穴
５３  ネジ穴
５４  ネジ
【図１】
0005776010.tif 000002
【図２】
0005776010.tif 000003
【図３】
0005776010.tif 000004
【図４】
0005776010.tif 000005
【図５Ａ】
0005776010.tif 000006
【図５Ｂ】
0005776010.tif 000007
【図６】
0005776010.tif 000008
【図７Ａ】
0005776010.tif 000009
【図７Ｂ】
0005776010.tif 000010
【図８】
0005776010.tif 000011
【図９Ａ】
0005776010.tif 000012
【図９Ｂ】
0005776010.tif 000013
【図１０Ａ】
0005776010.tif 000014
【図１０Ｂ】
0005776010.tif 000015
【図１１】
0005776010.tif 000016
【図１２Ａ】
0005776010.tif 000017
【図１２Ｂ】
0005776010.tif 000018
【図１３Ａ】
0005776010.tif 000019
【図１３Ｂ】
0005776010.tif 000020
【図１４Ａ】
0005776010.tif 000021
【図１４Ｂ】
0005776010.tif 000022
【図１５】
0005776010.tif 000023
【図１６】
0005776010.tif 000024
【図１７Ａ】
0005776010.tif 000025
【図１７Ｂ】
0005776010.tif 000026
【図１７Ｃ】
0005776010.tif 000027
【図１８】
0005776010.tif 000028